(57)【要約】【課題】本発明は、装置本体が大型化することなく、騒音を抑えることができる画像形成装置の騒音制御装置を提供することを目的とする。【解決手段】本発明に係る画像形成装置の騒音制御装置の代表的な構成は、画像形成装置内部の騒音が画像形成装置外部へ伝わる排気ダクト１５と、排気ダクト１５の入口に設けられ、騒音を集音するコントロールマイク１８と、排気ダクト１５の出口に設けられ、騒音と逆位相の音を出力するスピーカーと、を有する画像形成装置の騒音制御装置であって、排気ダクト１５は、入口と出口を結ぶ直線距離に対して排気ダクト１５の長さが長くなる形状であり、コントロールマイク１８から２次音源スピーカー２４までの経路の長さをＬ、コントロールマイク１８で騒音を集音してから２次音源スピーカー２４で音を出力するまでの時間をＴ、音速をＳ、とすると、Ｌ≧Ｓ×Ｔの関係を満たす形状であることを特徴とする。【選択図】図４
2009014800.tif 000002
【特許請求の範囲】
【請求項１】
画像形成装置内部の騒音が装置外部へ伝わる騒音伝達経路と、
前記騒音伝達経路に設けられ、騒音を集音する集音手段と、
前記騒音伝達経路における前記集音手段よりも前記装置外部側に設けられ、前記騒音と逆位相の音を出力するスピーカーと、を有し、
前記集音手段から前記スピーカーまでの直線距離よりも前記騒音伝達経路における前記集音手段から前記スピーカーまでの経路の長さが長いことを特徴とする画像形成装置の騒音制御装置。
【請求項２】
画像形成装置内部の騒音が画像形成装置外部へ伝わる騒音伝達経路と、
前記騒音伝達経路に設けられ、前記騒音を集音する集音手段と、
前記騒音伝達経路に設けられ、前記騒音と逆位相の音を出力するスピーカーと、を有する画像形成装置の騒音制御装置であって、
前記騒音伝達経路は、前記集音手段と前記スピーカーとを結ぶ直線距離に対して前記騒音伝達経路における前記集音手段と前記スピーカーと間の経路長さが長くなる形状であり、前記集音手段から前記スピーカーまでの経路の長さをＬ、前記集音手段で前記騒音を集音してから前記スピーカーで音を出力するまでの時間をＴ、音速をＳ、とすると、Ｌ≧Ｓ×Ｔの関係を満たす形状であることを特徴とする画像形成装置の騒音制御装置。
【請求項３】
前記騒音伝達経路の形状は、ジグザグ形状又は螺旋形状であることを特徴とする請求項１または２に記載の画像形成装置の騒音制御装置。
【請求項４】
前記騒音伝達経路内の前記スピーカーに対して前記装置外部側に前記騒音を検知する検知手段を有することを特徴とする請求項２または３に記載の画像形成装置の騒音制御装置。
【請求項５】
前記騒音伝達経路を少なくとも２つの経路を有し、
前記２つの経路のうち少なくとも１つの経路は、騒音源と前記騒音伝達経路の出口を直線で結ぶ直線経路で構成されていることを特徴とする請求項１乃至３のいずれか１項に記載の画像形成装置の騒音制御装置。
【請求項６】
前記騒音伝達経路内に前記騒音を吸音する吸音手段を有することを特徴とする請求項１乃至５のいずれか１項に記載の画像形成装置の騒音制御装置。
【請求項７】
前記騒音伝達経路における前記集音手段から前記スピーカーまでの経路の長さが長くなるように前記騒音伝達経路は、複数の仕切り板を備えることを特徴とする請求項１に記載の騒音制御装置。
【発明の詳細な説明】
【技術分野】
【０００１】
本発明は、複写機、プリンタ、ファクシミリ等の画像形成装置から発生する騒音を低減する画像形成装置の騒音制御装置に関する。
【背景技術】
【０００２】
従来、複写機、プリンタ、ファクシミリ、スキャナ等の画像形成及び画像読取りを行う装置では、装置内部の温度上昇を防止するため、または装置内部で発生するオゾンを機外に排出するため、冷却ファンが用いられている。
【０００３】
内部の高温発生部位として定着器やスキャナを有する複写機は、これら高温発生部位からの熱を本体開口部に設けた冷却ファンにより排気流を装置外部に排出している。また、装置内部でオゾンが発生する転写部・分離部の近傍にオゾン排熱ファンを設け、装置外部にオゾンを排出している。また、高温発生部位もしくはオゾン発生部位から装置外部へ排気経路を形成するためのダクトが配置されている。
【０００４】
しかし、冷却ファン、オゾン排熱ファンは、複写機の本体表面近傍に設置されている。このため、冷却ファン、オゾン排熱ファンの動作時に発生する騒音がそのまま装置から機外へ放射されてしまい、装置本体近辺にいる人の不快感を招くことがあった。
【０００５】
また、複数の高温発生部位の温度状況が一様であるとは限らず、さらに複写機本体形状の制約から、それぞれの高温発生部位に対する排気ダクトの排気流路の形状を一定の形状にできるとは限らない。このため、それぞれの高温発生部位における冷却効率に差が生じる。冷却ファンの風量は、装置内部で最高温度を示す測定点を基準にして決定する必要がある。このため、高温発生部位によっては必要以上の冷却が施されていることになり、冷却ファンの騒音増大の原因となっていた。オゾン排熱ファンにおいても同様の問題点が生じていた。
【０００６】
そこで、冷却ファン、オゾン排熱ファンの騒音を防止するために、排気ダクトを介して、装置内部の音（駆動音など）を装置外部へ伝達する構成が提案されている。この構成において、排気ダクト内の音を検知し、その音に対して逆位相の音を排気ダクト内において出力することによって、排気ダクト内の音を低減させる技術（アクテイブノイズコントロール）が用いられている。このアクテイブノイズコントロール（以下ＡＮＣ）を使えばダクト内において冷却ファン、オゾン排気ファンの音を小さくすることができるため、結果として複写機から機外へ放射される音を小さくすることができる（特許文献１参照）。
【０００７】
なお、排気ダクトを介して、画像形成装置内部の音（駆動音など）が装置外部に伝達される構成を例示して説明した。しかし画像形成装置内部と外部とが連通した構成であれば装置内部の音が外部に伝達される恐れがあることはいうまでもない。
【０００８】
【特許文献１】特開２００２−３１１７６３公報
【発明の開示】
【発明が解決しようとする課題】
【０００９】
しかし、ＡＮＣは検知した音をデジタルシグナルプロセッサー（以降ＤＳＰ）で演算処理し、逆位相の音を計算し、排気ダクト内にスピーカーによって出力する必要があるため、以下の問題点が生じていた。
【００１０】
ダクト内の音を検知する個所から逆位相の音を出力するスピーカー位置までの距離を長くする必要がある。例えば、演算処理をする時間が１ｍｓ、アナログ音をＤＳＰに取り込む際にデジタル音に変換する処理が０．５ｍｓ、ＤＳＰのデジタル音をスピーカーに出力するためにアナログ音に変換する処理が０．５ｍｓとする。すると、音を検知してからスピーカーで出力するまでに少なくともトータル２ｍｓ必要になる。これに対して、２５℃の環境において音速は約３４６×１０３（ｍｍ／ｓ）であるので、音を検知してからスピーカーで出力するまでには約３４６×１０３（ｍｍ／ｓ）×０．００２（ｓ）＝６９２ｍｍの経路が必要になる。
【００１１】
音の検知位置からスピーカーの出力位置までの経路長が上記６９２ｍｍよりも短いと検知した音の方がスピーカーに到達するまでに逆位相の音をスピーカーから出力できないので、検知した音を低減させることは困難になる。音の検知位置からスピーカーの出力位置までの経路長さが短い構成において音を低減させようとすると、演算処理が高速な高価な演算装置を用いる必要がある。
【００１２】
上記問題の対策として、ダクト経路を長くする対策が考えられるが、ダクト経路を長くすると複写機本体のサイズが大きくなる欠点がある。
【００１３】
そこで本発明は、画像形成装置本体が大型化することなく、騒音を抑えることができる画像形成装置の騒音制御装置を提供することを目的とする。
【課題を解決するための手段】
【００１４】
上記課題を解決するために本発明に係る画像形成装置の騒音制御装置の代表的な構成は、画像形成装置内部の騒音が装置外部へ伝わる騒音伝達経路と、前記騒音伝達経路に設けられ、騒音を集音する集音手段と、前記騒音伝達経路における前記集音手段よりも前記装置外部側に設けられ、前記騒音と逆位相の音を出力するスピーカーと、を有し、前記集音手段から前記スピーカーまでの直線距離よりも前記騒音伝達経路における前記集音手段から前記スピーカーまでの経路の長さが長いことを特徴とする。
【００１５】
また、本発明の騒音制御装置は、画像形成装置内部の騒音が画像形成装置外部へ伝わる騒音伝達経路と、前記騒音伝達経路の入口に設けられ、前記騒音を集音する集音手段と、前記騒音伝達経路の出口に設けられ、前記騒音と逆位相の音を出力するスピーカーと、を有する画像形成装置の騒音制御装置であって、前記騒音伝達経路は、前記入口と前記出口を結ぶ直線距離に対して前記騒音伝達経路の長さが長くなる形状であり、前記集音手段から前記スピーカーまでの経路の長さをＬ、前記集音手段で前記騒音を集音してから前記スピーカーで音を出力するまでの時間をＴ、音速をＳ、とすると、Ｌ≧Ｓ×Ｔの関係を満たす形状であることを特徴とする。
【発明の効果】
【００１６】
本発明によれば、装置本体が大型化することなく、騒音を抑えることができる。
【発明を実施するための最良の形態】
【００１７】
[第一実施形態]
本発明に係る画像形成装置の騒音制御装置の第一実施形態について、図を用いて説明する。
【００１８】
（画像形成装置１）
図１は本実施形態に係る騒音制御装置を搭載した画像形成装置１の断面図である。図１に示すように、圧板２に載置された原稿は、原稿読取部３によって読み取られ、感光ドラム４上に潜像が形成される。潜像は現像部５によってトナー像に画像形成される。カセット６に載置された転写材Ｐは、搬送パス７を経由して転写・分離部８へと搬送され、トナー像を転写される。トナー像を転写された転写材Ｐは、搬送部９にて定着装置１０へ搬送され、トナー像を定着された後、画像形成装置１の外部へ排出される。
【００１９】
画像形成装置１は、エアフロー系統、ＡＮＣシステム１７からなる騒音制御装置を有している。
【００２０】
（エアフロー系統）
図２、図３はエアフロー系統を示した画像形成装置１の斜視図である。図２、図３に示すように、画像形成装置１のエアフロー系統は、吸引ファン１１、１２、オゾンをオゾン排熱ファン１３、定着排熱ファン１４、排気ダクト１５から構成されている。
【００２１】
吸引ファン１１、１２は、画像形成装置１の上部かつ前面に配置されている。
【００２２】
オゾン排熱ファン１３は、画像形成装置１内部で発生するオゾンなどをオゾン分解フィルタ（不図示）を介して画像形成装置１外部へ排出する役割を持つ。
【００２３】
定着排熱ファン１４は、定着装置１０周辺の熱を画像形成装置１の外部に排出して内部の温度を下げる役割を持つ。
【００２４】
排気ダクト１５は画像形成装置１の後側板１６に取り付けられる。オゾン排熱ファン１３、定着排熱ファン１４は、排気ダクト１５の入口に設けられている。排気ダクト１５の開口部（出口）１５ｄは、画像形成装置１の後方かつ下面に配置されている。
【００２５】
図２に示すように、吸引ファン１１、１２によって、エアが画像形成装置１の内部へ吸引される。図３に示すように、吸引されたエアは、オゾン排熱ファン１３、定着排熱ファン１４によって、排気ダクト１５を通して開口部１５ｄから画像形成装置１の外部へ排出される。
【００２６】
ファン１１、１２とファン１３、１４との間には、熱およびオゾンの発生源があり、エアフロー系統により、画像形成装置１の内部で発生している熱およびオゾンを画像形成装置１の外部へ排出している。
【００２７】
図４（ａ）は排気ダクト１５の内部を表した断面図である。図４（ｂ）は図４（ａ）のＡ−Ａ断面図である。
【００２８】
図４に示すように、排気ダクト１５は、ダクト１５ａ、１５ｂの２経路を有している。ダクト１５ａは、定着排熱ファン１４から開口部１５ｄに直線距離で形成されたストレート形状（直線経路）である。ダクト１５ｂは、オゾン排熱ファン１３から開口部１５ｄの間に仕切り板１５ｃを左右交互に張り出して形成されたジグザグ形状である。
【００２９】
排気ダクト１５は、画像形成装置内部の騒音が画像形成装置外部へ伝わる騒音伝達経路である。排気ダクト１５は、Ｌ≧Ｓ×Ｔの関係を満たす形状である。この式において、Ｌは、排気ダクト１５は、入口と出口を結ぶ直線距離に対して経路の長さが長くなる形状であり、コントロールマイク１８から２次音源スピーカー２４までの経路の長さである。Ｔは、コントロールマイク１８で騒音を集音してから２次音源スピーカー２４で音を出力するまでの時間である。Ｓは、音速である。
【００３０】
定着排熱ファン１４より排気ダクト１５に流入した空気は、ダクト１５ａの内部を通り、開口部１５ｄより空気が排熱される。
【００３１】
オゾン排熱ファン１３より排気ダクト１５に流入した空気は、ダクト１５ｂの内部に配置された仕切り板１５ｃによって、矢印方向に経路が変更され、最後には開口部１５ｄより空気が排出される。
【００３２】
排気ダクト１５の材料として、ＡＢＳなどの樹脂が用いられる。排気ダクト１５の厚みは、定着排熱ファン１４、オゾン排熱ファン１３の振動が伝わらない程度（例えば最低５ｍｍ）は必要である。
【００３３】
排気ダクト１５の内部（ダクト１５ａ、１５ｂ）には、音を吸音する吸音材（吸音手段）が配置（不図示）され、排気ダクト１５内部を通る音を消音している。吸音材は、周波数２ｋＨｚ以上の高周波の音の消音に有効である。
【００３４】
（ＡＮＣシステム１７）
ダクト１５ｂの内部には、ＡＮＣシステム（能動消音システム）１７が配置されている。ＡＮＣシステム１７は、ダクト１５ｂの内部を伝わって画像形成装置１の外部へ放射されるオゾン排熱ファン１３から発生する音、画像形成装置１内部で発生する駆動音などの騒音を消音する。
【００３５】
図５は排気ダクト１５の断面図およびＡＮＣシステム１７の電気ブロック図である。図５に示すように、ＡＮＣシステム１７は、コントロールマイク１８、電圧増幅器１９、ＡＤ変換器２０、適応フィルタ２１、ＤＡ変換器２２、電圧増幅器２３、２次音源スピーカー２４、エラーマイク２５を有している。
【００３６】
コントロールマイク１８は、排気ダクト１５の入口に設けられ、騒音を集音する集音手段である。コントロールマイク１８は、ダクト１５ｂの内壁面にコントロールマイク１８の音検知面が沿うように配置されている。
【００３７】
２次音源スピーカー２４は、排気ダクト１５の出口に設けられ、騒音と逆位相の音を出力する。２次音源スピーカー２４の周囲にはスピーカー２４を取り囲んでスピーカーカバー２４ａが設けられている。スピーカーカバー２４ａは、２次音源スピーカー２４の出力がダクト１５ｂ内に向かうようにする。
【００３８】
エラーマイク２５は、騒音伝達経路内の２次音源スピーカー２４に対して画像形成装置外部側に設けられ、騒音を検知する検知手段である。エラーマイク２５は、ダクト１５ｂの内壁面に音の検知面がくるように配置されている。
【００３９】
ＡＮＣシステム１７のの動作について説明する。まず、ダクト１５ｂ内部の音をコントロールマイク１８によって検出する。その音を電圧増幅器（ＡＭＰ）１９によって増幅し、ＡＤ変換器（Ａ．Ｄ．Ｃ）２０によってデジタル信号化する。そして、適応フィルタ：Ｗ（２１）によって信号の位相を反転し、ＤＡ変換器（Ｄ．Ａ．Ｃ）２２によってアナログ化して音にし、ＡＭＰ２３によって増幅する。増幅した音を２次音源スピーカー２４によってダクト１５ｂの中へ付加している。
【００４０】
つまり、コントロールマイク１８で検知した音と逆位相の音を２次音源スピーカー２４によってダクト１５ｂ内に放射し、ダクト１５ｂ内の音を音の干渉によって消音している。
【００４１】
２次音源スピーカー２４から放射された音（騒音と逆位相の音）は、元の音（騒音）と重なって、エラーマイク２５によって検出される。エラーマイク２５によって検出された音は、ＡＭＰ２６によって増幅後、ＡＤ変換器（Ａ．Ｄ．Ｃ）２７によってデジタル信号化され、ＬＭＳ演算部２８に入る。
【００４２】
ＬＭＳ演算部２８では、エラーマイク２５で検出された音が最小化するように演算処理がされ、その結果を適応フィルタ：Ｗ（２１）に入力し、２次音源スピーカー２４から放射する音を決める。つまり、エラーマイク２５で検出される音が最小化するようにフードバック制御を行っている。
【００４３】
誤差経路補償フィルタ：Ｃ（２９）は２次音源スピーカー２４からエラーマイク２５に至る伝達特性である。誤差経路補償フィルタ２９は、コントロールマイク１８の検出信号とエラーマイク２５での検出信号のタイミングを合わせるために、ＬＭＳ演算部２８において演算を行い、２次音源スピーカー２４から放出する音の調整を行っている。
【００４４】
ハウリング補償フィルタ３０に示す経路は、２次音源スピーカー２４からの音がコントロールマイク１８にフィードバックする経路であるため、ハウリングの原因となる。これを防止するためにハウリング補償フィルタ３０を配置し、ハウリングを防止している。
【００４５】
次にコントロールマイク１８の位置について説明する。コントロールマイク１８はダクト１５ｂ内で音圧の高い部分に配置するのが好ましい。図６はダクト１５ｂの内部の音圧レベルを模式的に示した音響モードの模式図である。図６に示すように、ダクト１５ｂ内の音圧レベルは場所によって異なる。腹の位置は音圧レベルが大きくなり、節の部分は音圧レベルが小さくなる。この音響モードは音の周波数によっても異なるが、この場合は例えば、５００Ｈｚ〜３０００Ｈｚまでの音圧レベルのオーバーオールで音響モードが形成されていると考えて良い。
【００４６】
次にＡＮＣシステム１７での騒音低減フローについて説明する。図７はＡＮＣシステム１７で騒音低減時のフローチャートである。
【００４７】
図７に示すように、まずコントロールマイク（Ｃマイク）１８とエラーマイク（Ｅマイク）２５でダクト１５ｂ内の音を検出する（Ｓ４０）。この時、採取した音は高速フーリエ変換アルゴリズム（以降ＦＦＴ）をかけて音圧レベルの計算をする（Ｓ４１）。
【００４８】
次にコントロールマイク１８、エラーマイク２５で採取した音圧レベルの最大値が現在のＡＭＰ１９、２６のレベルで検知できているかを判断する（Ｓ４２）。
【００４９】
検知できていなければ、検知できるようにＡＭＰ１９、ＡＭＰ２６を調整し（Ｓ４３）、Ｓ４０に戻る。
【００５０】
検知できていれば、２次音源スピーカー２４より全周波数帯の音がすべて入っている音（いわゆるホワイトノイズ）を出力し、エラーマイク２５で検知した音の最大値が適正位置で、とらえられるように２次音源スピーカー２４のＡＭＰ２３を調整する。その状態で、ホワイトノイズを２次音源スピーカー２４より出力する（同定開始、Ｓ４４）。
【００５１】
同定終了後（Ｓ４５）、誤差経路補償フィルタ２９に同定値Ｃ∧を入れ、保存する（Ｓ４６）。上記動作終了後、ＡＮＣシステム１７の適応を開始する（Ｓ４７）。
【００５２】
コントロールマイク１８とエラーマイク２５とのダクト１５ｂ内経路は、音速（約３４６×１０３（ｍｍ／ｓ））×音を検知してからスピーカーで出力するまでの時間（２ｍｓ）＝６９２ｍｍ以上設ける必要がある。
【００５３】
また２次音源スピーカー２４とエラーマイク２５間の距離は近い方が好ましいが、近すぎると２次音源スピーカー２４とエラーマイク２５間においてハウリングが発生しやすくなる。このため、２次音源スピーカー２４の中心とエラーマイク２５の中心を７０ｍｍ程度離す。
【００５４】
（騒音低減の結果）
図８、図９はＡＮＣシステム１７を作動させることにより得られる騒音低減の結果を示した図である。図８は横軸に時間（Ｓ）、縦軸に騒音波形（Ｖ）を示している。騒音波形は、エラーマイク２５で検出した電圧波形を示している。図９は図８の騒音波形をＦＦＴ処理して、横軸に周波数（Ｈｚ）、縦軸に音圧レベルＳＰＬ（ｄＢＡ）を示したグラフである。
【００５５】
図８に示すように、ＡＮＣシステム１７を作動させると、時間経過とともに騒音波形（Ｖ）は小さくなる。また図９に示すように１０〜１０００Ｈｚの間で最大約１０ｄＢＡもの騒音低減効果が得られる。
【００５６】
（効果）
【００５７】
本実施形態によれば、排気ダクト１５の大型化をせずにＡＮＣシステム１７の経路を確保できる。このため、画像形成装置１のサイズを大型化することなく、ＡＮＣシステム１７を適用させ、排気ダクト１５を介して機外へ放射される定着排熱ファン（冷却ファン）１４、オゾン排熱ファン１３の騒音を抑えることができる。これにより、画像形成装置１の使用環境の静粛化（低騒音化）を図ることができる。
【００５８】
ＡＮＣシステム１７を適用する経路長さを長く確保できるので、ＡＮＣシステム１７の効果を大きく引きだすことが可能になる。
【００５９】
ＡＮＣシステム１７により低周波の音を低減でき、吸音材により高周波の音を低減でき、効率良く低騒音化でき、省電力の効果もある。
【００６０】
高周波の耳触りな音を低減できるので静粛なオフィース環境を維持しつつ、ユーザークレームの少ない、画像形成装置１を提供できる。
【００６１】
１つの排気ダクト１５を２系統（ダクト１５ａ、１５ｂ）に分けて、１つ経路（ダクト１５ｂ）は音を低減させる消音経路、もう１つの経路（ダクト１５ａ）を消音はさせずに排気のみ行う排気経路に分けている。このような構成にすることによって、消音効率と排気効率のバランスをとることができる。
【００６２】
[第二実施形態]
次に本発明に係る画像形成装置の騒音制御装置の第二実施形態について図を用いて説明する。上記第一実施形態と説明の重複する部分については、同一の符号を付して説明を省略する。
【００６３】
図１０は本実施形態に係る排気ダクト５０の断面図である。図１０に示すように、本実施形態の騒音制御装置は、上記第一実施形態の騒音制御装置の排気ダクト１５を排気ダクト５０に変えたものである。
【００６４】
排気ダクト５０は、上記第一実施形態の仕切り板１５ｃの配置を変え、エアの流れを左右から上下に変えたものである。
【００６５】
排気ダクト５０は、ダクト５０ａ、５０ｂの２経路を有している。ダクト５０ａは、定着排熱ファン１４から開口部５０ｄに直線距離で形成されたストレート形状（直線経路）である。ダクト５０ｂは、オゾン排熱ファン１３から開口部５０ｄの間に仕切り板５０ｃを上下交互に張り出して形成されたジグザグ形状である。
【００６６】
定着排熱ファン１４より排気ダクト５０に流入した空気は、ダクト５０ａの内部を通り、開口部５０ｄより空気が排熱される。
【００６７】
オゾン排熱ファン１３より排気ダクト５０に流入した空気は、ダクト５０ｂの内部に配置された仕切り板５０ｃによって、矢印方向に経路が変更され、最後には開口部５０ｄより空気が排出される。
【００６８】
排気ダクト５０の材料として、ＡＢＳなどの樹脂が用いられる。排気ダクト５０の厚みは、定着排熱ファン１４、オゾン排熱ファン１３の振動が伝わらない程度（例えば最低５ｍｍ）は必要である。
【００６９】
排気ダクト５０の内部（ダクト５０ａ、５０ｂ）には、音を吸音する吸音材が配置（不図示）され、排気ダクト５０内部を通る音を消音している。吸音材は、周波数２ｋＨｚ以上の高周波の音の消音に有効である。
【００７０】
なお、排気ダクトの形状は、上記第一、第二実施形態のジグザグ形状に限定されるものではなく、上記Ｌ≧Ｓ×Ｔの関係を満たす形状であればよい。例えば、入口から出口まで螺旋形状（渦巻き形状）等としてもよい。
【図面の簡単な説明】
【００７１】
【図１】第一実施形態に係る騒音制御装置を搭載した画像形成装置の断面図である。
【図２】エアフロー系統を示した画像形成装置の斜視図である。
【図３】エアフロー系統を示した画像形成装置の斜視図である。
【図４】（ａ）は排気ダクト１５の内部を表した断面図である。（ｂ）は（ａ）のＡ−Ａ断面図である。
【図５】排気ダクトの断面図およびＡＮＣシステムの電気ブロック図である。
【図６】ダクトの内部の音圧レベルを模式的に示した音響モードの模式図である。
【図７】実施例１におけるＡＮＣシステム１７の動作手順を示したフロー系統図
【図８】実施例１で排気ダクト内部の音を検知した騒音波形
【図９】実施例１で排気ダクト内部の音をＦＦＴ処理した結果でＡＮＣ不作動と作動時の結果を示したグラフ
【図１０】実施例２における排気ダクト内部の断面図
【符号の説明】
【００７２】
Ｐ    …転写材
１    …画像形成装置
２    …圧板
３    …原稿読取部
４    …感光ドラム
５    …現像部
６    …カセット
７    …搬送パス
８    …転写・分離部
９    …搬送部
１０  …定着装置
１１、１２  …吸引ファン
１３  …オゾン排熱ファン
１４  …定着排熱ファン
１５、５０  …排気ダクト
１５ａ、１５ｂ、５０ａ、５０ｂ …ダクト
１５ｃ、５０ｃ …仕切り板
１５ｄ、５０ｄ …開口部
１６  …後側板
１７  …ＡＮＣシステム
１８  …コントロールマイク
１９、２３、２６  …電圧増幅器
２０、２７  …ＡＤ変換器
２１  …適応フィルタ
２２  …ＤＡ変換器
２４  …２次音源スピーカー
２４ａ …スピーカーカバー
２５  …エラーマイク
２８  …ＬＭＳ演算部
２９  …誤差経路補償フィルタ
３０  …ハウリング補償フィルタ
【図１】
2009014800.tif 000003
【図２】
2009014800.tif 000004
【図３】
2009014800.tif 000005
【図４】
2009014800.tif 000006
【図５】
2009014800.tif 000007
【図６】
2009014800.tif 000008
【図７】
2009014800.tif 000009
【図８】
2009014800.tif 000010
【図９】
2009014800.tif 000011
【図１０】
2009014800.tif 000012